(57)【要約】【課題】買った人が自分でソフトクリームをコーンカップに抽出し、持ち帰ることができるようにしたソフトクリーム自動販売方法およびその装置を提供する。【解決手段】ソフトクリーム自動販売方法においては、コイン投入口４にコインを入れ、選択ボタン５を押すことでソフトクリームの種類が選択されたセットケースＰがセットケース販売装置３から排出され、冷凍保存されていたセットケースＰの内部からコーンカップＱと、ソフトクリームを充填しているソフトクリーム容器Ｒをそれぞれ取り出し、ソフトクリーム容器Ｒは押出装置２の容器挿入口より容器載置台２１に載せ、コーンカップＱは押出装置２のコーン挿入口よりカップ載置台２２に載せた後、押出装置２の押出部における雄型２４をソフトクリーム容器Ｒの上側から加圧進入させてソフトクリーム容器Ｒを圧潰させ、容器内部に充填しているソフトクリームをコーンカップＱ内に供給する。【選択図】          図１
2004213308.tif 000002
【特許請求の範囲】
【請求項１】
コイン投入口にコインを入れ、選択ボタンを押すことでソフトクリームの種類が選択されたセットケースがセットケース販売装置から排出され、冷凍保存されていたセットケースの内部からコーンカップと、ソフトクリームを充填しているソフトクリーム容器をそれぞれ取り出し、ソフトクリーム容器は押出装置の容器挿入口より容器載置台に載せ、コーンカップは押出装置のコーン挿入口よりカップ載置台に載せた後、押出装置の押出部における雄型をソフトクリーム容器の上側から加圧進入させてソフトクリーム容器を圧潰させ、容器内部に充填しているソフトクリームをコーンカップ内に供給することを特徴とするソフトクリーム自動販売方法。
【請求項２】
コイン投入口にコインを入れ、選択ボタンを押すことでソフトクリームの種類が選択されたセットケースがセットケース販売装置から排出され、冷凍保存されていたセットケースの内部からコーンカップと、ソフトクリームを充填しているソフトクリーム容器をそれぞれ取り出し、ソフトクリーム容器の方は底部の排出口を塞いでいる密封シール材を剥がしてから、露出した排出口を下に向けて押出装置の容器挿入口より容器載置台に載せ、コーンカップの方は押出装置のコーン挿入口よりカップ載置台に載せた後、押出装置の押出部における雄型をソフトクリーム容器の上側から加圧進入させてソフトクリーム容器を圧潰させ、容器内部に充填しているソフトクリームを排出口よりコーンカップ内に供給することを特徴とするソフトクリーム自動販売方法。
【請求項３】
押出ユニットの加圧動作によりソフトクリーム容器を圧潰させて内部のソフトクリームを下方に押し出すための押出装置と、ソフトクリームを入れるコーンカップ、ソフトクリームを密封状に充填している圧潰可能なソフトクリーム容器のそれぞれを収納したセットケースを販売するセットケース販売装置とを、それぞれ併設して成ることを特徴とするソフトクリーム自動販売装置。
【請求項４】
セットケース販売装置は、コーンカップと、ソフトクリーム容器のそれぞれを収納したセットケースを所定の温度状態に保存しておくために、上側に位置する冷凍スペースと、下側に位置する温調スペースとに分けられている請求項３に記載のソフトクリーム自動販売装置。
【請求項５】
冷凍スペースは、およそマイナス２０°の温度環境であり、温調スペースは、およそマイナス９°の温度環境である請求項４に記載のソフトクリーム自動販売装置。
【請求項６】
ソフトクリーム容器は、中空円柱形状の容器によって形成され、その周側面には、自身が押圧されることによって圧潰可能となるように蛇腹部が形成され、ソフトクリーム容器の底面部中央には、内部のソフトクリームを排出するための排出口が形成され、この排出口を密封シール材によって閉塞している請求項３乃至５のいずれかに記載のソフトクリーム自動販売装置。
【請求項７】
ソフトクリーム容器は、底面部中央に、内部のソフトクリームを排出するための円筒突起状の排出口が形成され、この排出口の周面には雄ネジ部が形成され、一端開口側にクッションシートを張着しているキャップ体の内側の雌ネジ部をねじ込んで排出口を閉塞している請求項３乃至５のいずれかに記載のソフトクリーム自動販売装置。
【請求項８】
ソフトクリーム容器のソフトクリームを排出する部分が、星形状に形成されている請求項６または７に記載のソフトクリーム自動販売装置。
【発明の詳細な説明】
【０００１】
【発明の属する技術分野】
本発明は、買った人が自分でソフトクリームをコーンカップに抽出し、持ち帰ることができるようにしたソフトクリーム自動販売方法およびその装置に関するものである。
【０００２】
【従来の技術】
近年、ソフトクリーム市場は対面販売が中心を占めており、販売者はソフトクリームをコーンカップに体裁良く抽出して顧客に売るのが一般的であった。
【０００３】
【発明が解決しようとする課題】
そのため、従来においては、買った人が自分でソフトクリームをコーンカップに抽出して持ち帰ることができるソフトクリーム自動販売装置が存在していなかった。しかも、従来のような対面販売の場合においては、コーンカップ内へのソフトクリームの抽出技術にかなりの訓練が必要となり、出来上がりにどうしても個人差が出てしまうのが実情である。また、従来のソフトクリーム製造装置は、定期的に洗浄、殺菌が必要であり、その作業ごとにロスが発生し、コストアップに繋がっていた。さらに、使用前後の清掃に大変な労力が必要となって、衛生管理の面でも問題があった。この他、装置の単価も高額であり、また、人件費もかかってしまうという問題点を有していた。
【０００４】
そこで、本発明は叙上のような従来存した諸事情に鑑み創出されたもので、一人用のソフトクリームをパックセット可能にすることで、買った人が自分でソフトクリームをコーンカップに抽出して持ち帰ることができ、しかも、装置に直接触れることなくソフトクリームを自動的に抽出し、衛生面を確保して保険所の許可も不要となり、装置自体の洗浄も不要で且つ操作上のロスも少なくできるようにした低価格のソフトクリーム自動販売方法およびその装置を提供することを目的とする。
【０００５】
【課題を解決するための手段】
上述した課題を達成するため、本発明に係るソフトクリーム自動販売方法にあっては、コイン投入口にコインを入れ、選択ボタンを押すことでソフトクリームの種類が選択されたセットケースがセットケース販売装置から排出され、冷凍保存されていたセットケースの内部からコーンカップと、ソフトクリームを充填しているソフトクリーム容器をそれぞれ取り出し、ソフトクリーム容器は押出装置の容器挿入口より容器載置台に載せ、コーンカップは押出装置のコーン挿入口よりカップ載置台に載せた後、押出装置の押出部における雄型をソフトクリーム容器の上側から加圧進入させてソフトクリーム容器を圧潰させ、容器内部に充填しているソフトクリームをコーンカップ内に供給することで、上述した課題を解決した。
【０００６】
また、コイン投入口にコインを入れ、選択ボタンを押すことでソフトクリームの種類が選択されたセットケースがセットケース販売装置から排出され、冷凍保存されていたセットケースの内部からコーンカップと、ソフトクリームを充填しているソフトクリーム容器をそれぞれ取り出し、ソフトクリーム容器の方は底部の排出口を塞いでいる密封シール材を剥がしてから、露出した排出口を下に向けて押出装置の容器挿入口より容器載置台に載せ、コーンカップの方は押出装置のコーン挿入口よりカップ載置台に載せた後、押出装置の押出部における雄型をソフトクリーム容器の上側から加圧進入させてソフトクリーム容器を圧潰させ、容器内部に充填しているソフトクリームを排出口よりコーンカップ内に供給することで、同じく上述した課題を解決した。
【０００７】
一方、本発明に係るソフトクリーム自動販売装置にあっては、押出ユニットの加圧動作によりソフトクリーム容器を圧潰させて内部のソフトクリームを下方に押し出すための押出装置と、ソフトクリームを入れるコーンカップ、ソフトクリームを密封状に充填している圧潰可能なソフトクリーム容器のそれぞれを収納したセットケースを販売するセットケース販売装置とを、それぞれ併設して成ることで、同じく上述した課題を解決した。
【０００８】
また、セットケース販売装置は、コーンカップと、ソフトクリーム容器のそれぞれを収納したセットケースを所定の温度状態に保存しておくために、上側に位置する冷凍スペースと、下側に位置する温調スペースとに分けられていることで、同じく上述した課題を解決した。
【０００９】
さらに、冷凍スペースは、およそマイナス２０°の温度環境であり、温調スペースは、およそマイナス９°の温度環境であることで、同じく上述した課題を解決した。
【００１０】
また、ソフトクリーム容器は、中空円柱形状の容器によって形成され、その周側面には、自身が押圧されることによって圧潰可能となるように蛇腹部が形成され、ソフトクリーム容器の底面部中央には、内部のソフトクリームを排出するための排出口が形成され、この排出口を密封シール材によって閉塞していることで、同じく上述した課題を解決した。
【００１１】
加えて、ソフトクリーム容器は、底面部中央に、内部のソフトクリームを排出するための円筒突起状の排出口が形成され、この排出口の周面には雄ネジ部が形成され、一端開口側にクッションシートを張着しているキャップ体の内側の雌ネジ部をねじ込んで排出口を閉塞していることで、同じく上述した課題を解決した。
【００１２】
また、ソフトクリーム容器のソフトクリームを排出する部分が、星形状に形成されていることで、同じく上述した課題を解決した。
【００１３】
以上のように構成された本発明に係るソフトクリーム自動販売方法およびその装置においては、コイン投入口にコインを入れて、選択ボタンを押すことで、ソフトクリームの種類が選択される。このとき、セットケース販売装置の取出口から、選択されたセットケースが排出される。そして、セットケース販売装置によって冷凍保存されていたセットケースの内部からコーンカップと、ソフトクリームを充填しているソフトクリーム容器とがそれぞれ取り出され、ソフトクリーム容器の方は底部の密封シール材を剥がしてから、排出口を下に向けて押出装置の容器挿入口より容器載置台に載せられ、コーンカップの方は押出装置のコーン挿入口よりカップ載置台に載せられる。そして、押出装置の押出部における雄型をソフトクリーム容器の上側から加圧進入させてソフトクリーム容器を圧潰させ、容器内部に充填されているソフトクリームを排出口よりコーンカップ内に供給した後、出来上がったソフトクリームはコーン挿入口から取り出される。このように、一人用のソフトクリームをセットケースによってパックセット可能にしたことで、買った人が自分でソフトクリームをコーンカップに抽出して持ち帰ることができ、しかも、装置に直接触れることなくソフトクリームを自動的に抽出することができる。
【００１４】
【発明の実施の形態】
以下に、図面を参照して本発明の一実施の形態を説明する。本発明に係るソフトクリーム自動販売装置１は、後述する押出ユニットの加圧動作により、例えば、ブロー成型容器等のソフトクリーム容器Ｒを圧潰させて内部のソフトクリームを下方に押し出すための押出装置２と、ソフトクリームを入れるコーンカップＱ、ソフトクリームを密封状に充填している圧潰可能なソフトクリーム容器Ｒのそれぞれを内部に収納した、例えば、円筒箱状に成形したセットケースＰ（図２参照）を販売するためのセットケース販売装置３とを、それぞれ併設して成る。
【００１５】
このセットケース販売装置３は、図１に示すように、コイン投入口４にコインを入れて、例えば、バニラ・ストロベリー・チョコレート等のソフトクリームの種類を選択するための選択ボタン５を押すことで、側面から見てジグザグ状に配した搬送経路に沿って収容されているセットケースＰの選択されたものを、繰り出し用のモータＭを使って下側前方に設けている取出口から排出するようにしている。
【００１６】
また、セットケース販売装置３は、コーンカップＱと、ソフトクリームを充填しているソフトクリーム容器Ｒのそれぞれを収納したセットケースＰを所定の温度状態に保存しておくために、上側に位置するおよそマイナス２０°の温度環境にある冷凍スペース３１と、下側に位置するおよそマイナス９°の温度環境にある温調スペース３２とに分けられている。このマイナス２０°の温度環境にある冷凍スペース３１には、約２００個のセットケースＰが収容できるようにしてある。一方、マイナス９°の温度環境にある温調スペース３２には、１日の売上高を見込んだ個数として、例えば、約８０個のセットケースＰが収容できるようにしてある。
【００１７】
この他、押出装置２は、ソフトクリームの押出供給を自動的に行う押出ユニットとして、例えば、最大ストロークが約６０ｍｍ、最大圧力が約１００ｋｇの押出部が設けられている。すなわち、この押出部は、モータ駆動によって昇降可能に取り付けられた押出用ピストン２３の先端に、ソフトクリーム容器Ｒの外形に合わせた雄型２４が取り付けられた構造となっている。そして、押出部に対応して押出装置２の前面部には、ソフトクリーム容器Ｒを装填して雄型２４の下方に位置付けするための、ソフトクリーム容器Ｒ底面の後述する排出口６に対応して中央底面が開放された容器載置台２１が、容器挿入口を介して設けられている。さらに、容器挿入口の下側には、セットケースＰから取り出したコーンカップＱを収容し、ソフトクリーム容器Ｒの下方に位置付けするためのカップ載置台２２が、カップ挿入口を介して設けられている。
【００１８】
尚、カップ載置台２２は、ソフトクリームをコーンカップＱ内に渦巻状となって体裁良く供給できるように、回転可能な、例えば、ターンテーブル構造にしても良い。また、押出部におけるソフトクリーム容器Ｒの容器載置台２１自体を回転可能な構造にしても良い。
【００１９】
これら容器挿入口、カップ挿入口のそれぞれは、例えば、上下方向にスライド可能とした扉部によって開閉できるようにしてある。また、容器挿入口の近傍には、コイン投入口４と、押出スイッチ１２が設けられている。そして、容器挿入口よりも上側に位置する前面部位には、ソフトクリームの作り方の説明を、例えば、絵図と共に記載したイラスト部１１が取り付けられている。
【００２０】
次に、ソフトクリーム容器Ｒの具体的な構成について図３乃至図６に基づいて説明する。このソフトクリーム容器Ｒは、図３・図４に示すように、中空円柱形状の、例えば、内容量が約１５０ｃｃのペット製のブロー成型容器によって形成され、その周側面には、自身が押圧されることによって圧潰可能となるように蛇腹部８が形成されている。このとき、ソフトクリーム容器Ｒの外径寸法は、押出部の雄型２４の外形に略合致するように設定している。そして、ソフトクリーム容器Ｒの底面部中央には、内部のソフトクリームを排出するための、例えば、星形状に切欠した排出口６が形成され、この排出口６は、例えば、楕円シート形状の密封シール材７によって閉塞されている。
【００２１】
また、ソフトクリーム容器Ｒの他の構成としては、図５・図６に示すように、ソフトクリーム容器Ｒの底面部中央に、内部のソフトクリームを排出するための、例えば開口先端側を、例えば星形状に切欠して成る円筒突起状の排出口６が形成され、この排出口６の周面には雄ネジ部が形成され、一端開口側にクッションシート１０を張着してあるキャップ体９の内側の雌ネジ部をねじ込ませることで排出口６を閉塞している。使用に際しては、押出部におけるソフトクリーム容器Ｒの圧潰に伴い、内部圧力によってこのクッションシート１０が破断し、排出口６が開放されてそこからソフトクリームが排出されるものである。こうすることにより、従来のシール材の粘着材による衛生上の問題点を解消させている。
【００２２】
そして、図２・図３に示すように、ソフトクリーム容器ＲとコーンカップＱは、セットケースＰ内に収納され、セットケースＰの開口部は所定の蓋によって閉塞されている。
【００２３】
尚、図７に示すように、本発明に係るソフトクリーム自動販売装置１自体を、例えば、缶ジュース、缶コーヒー、既成のアイスクリーム等の各種の自動販売機に隣接させて使用しても良い。
【００２４】
次に、ソフトクリーム自動販売方法の一例を説明する。まず、図１に示すように、コイン投入口４にコインを入れて、例えば、バニラ・ストロベリー・チョコレート等のソフトクリームの種類を選択ボタン５を押すことで選択する。そして、取出口に選択されたセットケースＰが排出される。このセットケース販売装置３によって冷凍保存されていたセットケースＰの内部からコーンカップＱと、ソフトクリームを充填しているソフトクリーム容器Ｒとをそれぞれ取り出し、ソフトクリーム容器Ｒの方は底部の密封シール材７を剥がしてから、排出口６を下に向けて容器挿入口より容器載置台２１に載せ、コーンカップＱの方はコーン挿入口よりカップ載置台２２に載せる。そして、押出スイッチ１２を押圧することで、押出部における雄型２４をソフトクリーム容器Ｒの上側から加圧進入させる。このとき雄型２４によってソフトクリーム容器Ｒは圧潰させられ、容器内部に充填されているソフトクリームを排出口６よりコーンカップＱ内に供給した後、出来上がったソフトクリームをコーン挿入口から取り出す。
【００２５】
【発明の効果】
本発明は、一人用のソフトクリームをパックセット可能にすることで、買った人が自分でソフトクリームをコーンカップＱに抽出して持ち帰ることがでる。しかも、装置に直接触れることなくソフトクリームを自動的に抽出し、衛生面を確保して保険所の許可も不要となり、装置自体の洗浄も不要で且つ操作上のロスも少なくできるようにした低価格のソフトクリーム自動販売方法およびその装置を提供することができる。
【００２６】
すなわち、本発明に係るソフトクリーム自動販売方法においては、コイン投入口４にコインを入れ、選択ボタン５を押すことでソフトクリームの種類が選択されたセットケースＰがセットケース販売装置３から排出され、冷凍保存されていたセットケースＰの内部からコーンカップＱと、ソフトクリームを充填しているソフトクリーム容器Ｒをそれぞれ取り出し、ソフトクリーム容器Ｒは押出装置２の容器挿入口より容器載置台２１に載せ、コーンカップＱは押出装置２のコーン挿入口よりカップ載置台２２に載せた後、押出装置２の押出部における雄型２４をソフトクリーム容器Ｒの上側から加圧進入させてソフトクリーム容器Ｒを圧潰させ、容器内部に充填しているソフトクリームをコーンカップＱ内に供給することから、買った人が自分でソフトクリームをコーンカップＱに抽出して持ち帰ることができる。
【００２７】
また、コイン投入口４にコインを入れ、選択ボタン５を押すことでソフトクリームの種類が選択されたセットケースＰがセットケース販売装置３から排出され、冷凍保存されていたセットケースＰの内部からコーンカップＱと、ソフトクリームを充填しているソフトクリーム容器Ｒをそれぞれ取り出し、ソフトクリーム容器Ｒの方は底部の排出口６を塞いでいる密封シール材７を剥がしてから、露出した排出口６を下に向けて押出装置２の容器挿入口より容器載置台２１に載せ、コーンカップＱの方は押出装置２のコーン挿入口よりカップ載置台２２に載せた後、押出装置２の押出部における雄型２４をソフトクリーム容器Ｒの上側から加圧進入させてソフトクリーム容器Ｒを圧潰させ、容器内部に充填しているソフトクリームを排出口６よりコーンカップＱ内に供給することから、同様に買った人が自分でソフトクリームをコーンカップＱに抽出できる。その結果、深夜等であってもソフトクリームをいつでも自由に買うことができる。
【００２８】
一方、本発明に係るソフトクリーム自動販売装置１にあっては、押出ユニットの加圧動作によりソフトクリーム容器Ｒを圧潰させて内部のソフトクリームを下方に押し出すための押出装置２と、ソフトクリームを入れるコーンカップＱ、ソフトクリームを密封状に充填している圧潰可能なソフトクリーム容器Ｒのそれぞれを収納したセットケースＰを販売するセットケース販売装置３とを、それぞれ併設して成るので、装置自体の洗浄も不要で且つ操作上のロスも少なくできるようにした低価格の装置を提供することができる。
【００２９】
また、セットケース販売装置３は、コーンカップＱと、ソフトクリーム容器Ｒのそれぞれを収納したセットケースＰを所定の温度状態に保存しておくために、上側に位置する冷凍スペース３１と、下側に位置する温調スペース３２とに分けられているので、セットケースＰを常に所定の温度に保存しておくことができる。そして、冷凍スペース３１は、およそマイナス２０°の温度環境であり、温調スペース３２は、およそマイナス９°の温度環境であるので、セットケースＰを取り出した時には、流動体状もしくは半流動体状のソフトクリームの状態となるため、押出装置２による押出部でのソフトクリーム容器Ｒからの押出動作が容易となる。また、程良いやわらかさのソフトクリームを完成できる。
【００３０】
さらに、ソフトクリーム容器Ｒは、中空円柱形状の容器によって形成され、その周側面には、自身が押圧されることによって圧潰可能となるように蛇腹部８が形成され、ソフトクリーム容器Ｒの底面部中央には、内部のソフトクリームを排出するための排出口６が形成され、この排出口６を密封シール材７によって閉塞しているので、手で直接触れることなくソフトクリームを自動的に抽出することができる。そして、衛生面も心配がないことから、保険所の許可も不要となる。
【００３１】
また、ソフトクリーム容器Ｒは、底面部中央に、内部のソフトクリームを排出するための円筒突起状の排出口６が形成され、この排出口６の周面には雄ネジ部が形成され、一端開口側にクッションシート１０を張着しているキャップ体９の内側の雌ネジ部をねじ込んで排出口６を閉塞しているので、従来のシール材の粘着材が付着することによる衛生上の問題点を容易に解消することができる。
【００３２】
加えて、ソフトクリーム容器Ｒのソフトクリームを排出する部分が、星形状に形成されているため、ソフトクリームをきれいに完成することができる。
【図面の簡単な説明】
【図１】本発明の一実施の形態におけるソフトクリーム自動販売装置を示すもので、（ａ）は正面図、（ｂ）は（ａ）のＸ−Ｘ断面図である。
【図２】ソフトクリーム容器とコーンカップを収納するセットケースの分解斜視図である。
【図３】ソフトクリーム容器とコーンカップを収納したセットケースの断面図である。
【図４】ソフトクリーム容器の底面図である。
【図５】ソフトクリーム容器の他例を示す分解斜視図である。
【図６】ソフトクリーム容器の他例を示すもので、（ａ）は一部切欠の断面図、（ｂ）は底面図である。
【図７】本発明の他の使用例を示す正面図である。
【符号の説明】
Ｐ…セットケース                    Ｑ…コーンカップ
Ｒ…ソフトクリーム容器              Ｍ…モータ
１…ソフトクリーム自動販売装置      ２…押出装置
３…セットケース販売装置            ４…コイン投入口
５…選択ボタン                      ６…排出口
７…密封シール材                    ８…蛇腹部
９…キャップ体                    １０…クッションシート
１１…イラスト部                    １２…押出スイッチ
２１…容器載置台                    ２２…カップ載置台
２３…押出用ピストン                ２４…雄型
３１…冷凍スペース                  ３２…温調スペース
【図１】
2004213308.tif 000003
【図２】
2004213308.tif 000004
【図３】
2004213308.tif 000005
【図４】
2004213308.tif 000006
【図５】
2004213308.tif 000007
【図６】
2004213308.tif 000008
【図７】
2004213308.tif 000009